(57)【要約】【課題】ボトル等の物品への装着が容易であって、物品の吊り下げ状態が確実に維持される物品吊り下げ保持具を提供する。【解決手段】展開状態のシートの所定方向両端部がそれぞれシートの下側から差込孔１０に差し込まれて上方に突出することによりスリーブ４が前記所定方向に並んで一対形成され、前記差込孔１０から上方に突出した突出部分に持ち手２５が形成され、前記一対のスリーブ４同士の対向部分にそれぞれ係止孔２２が形成され、該両係止孔２２が合わさって一体となることでボトルの頭部が下方から差込可能で且つ該頭部を吊り下げ保持可能な保持孔が形成される。【選択図】図１
2014043271.tif 000002
【特許請求の範囲】
【請求項１】
所定の剛性を有するシートからボトル等の物品を吊り下げ保持すべく立体的に組み立てられた物品吊り下げ保持具であって、
展開状態のシートの所定方向両端部がそれぞれシートの下側から差込孔に差し込まれて上方に所定量突出することによりスリーブが前記所定方向に並んで一対形成され、前記差込孔から上方に突出した突出部分に持ち手が形成され、前記一対のスリーブ同士の対向部分にそれぞれ係止孔が形成され、該両係止孔が合わさって一体となることで物品の頭部が下方から差込可能で且つ該頭部の被係止部を係止可能な保持孔が形成されていることを特徴とする物品吊り下げ保持具。
【請求項２】
前記差込孔が形成された上板部と、該上板部の両側縁でそれぞれ下方に折り曲げられた一対の側板部と、該各側板部に対してそれぞれ内側に折り曲げられた一対の下板部と、該各下板部に対してそれぞれ上側に折り曲げられて前記差込孔に差し込まれた一対の差込板部とを備え、上板部と側板部と下板部と差込板部から前記スリーブが構成されている請求項１記載の物品吊り下げ保持具。
【請求項３】
側板部は上板部に対して略直角に折り曲げられ、下板部は側板部に対して内角が鋭角となるように折り曲げられている請求項２記載の物品吊り下げ保持具。
【請求項４】
前記突出部分が所定の突出状態を維持するように所定部分をロックするロック手段を備えている請求項１乃至３の何れかに記載の物品吊り下げ保持具。
【請求項５】
前記両係止孔の開口縁部にはそれぞれ係止用フラップが互いに対向して突設されている請求項１乃至４の何れかに記載の物品吊り下げ保持具。
【発明の詳細な説明】
【技術分野】
【０００１】
本発明は、ボトル等の物品の頭部を吊り下げて保持することができる物品吊り下げ保持具に関する。
【背景技術】
【０００２】
この種の物品吊り下げ保持具として下記特許文献１乃至３所載のものが公知である。即ち、下記特許文献１には、シート材料を折り曲げて三角形状のスリーブを形成すると共に、スリーブの頂上部から上方に延びるハンドル部を設けた保持具が提案されている。該保持具では、スリーブの底壁パネルの孔からボトルの頭部が挿入され、両側壁パネルの孔の開口縁部のうち下側部分がボトルのフランジ部を下側から係止し、これによりボトルを吊り下げ保持する。
【０００３】
下記特許文献２には、菱形のスリーブを形成し、該菱形を構成する上側二つのパネル部に跨って形成された孔の開口縁部でボトルの頭部を係止する構成が提案されている。
【０００４】
また、本出願人も下記特許文献３において、互いの下縁同士が連結された山折り状の上側山形プレート及び下側山形プレートから変形スリーブが形成され、上側山形プレートの頂上部に形成された孔の開口縁部でボトルを係止する構成を既に提案済みである。
【０００５】
これらの保持具の場合には、ボトルを吊り下げた際にその重量が孔の開口縁部に作用することになるが、この力が過大となってスリーブが変形すると開口縁部からボトルから外れやすくなる。開口縁部からボトルが外れないようにするために孔を小さく設定すると、逆に保持具をボトルに装着する際に、ボトルの頭部を孔に挿入しにくくなる。
【０００６】
一方、下記特許文献４には、側方の一端部同士がヒンジ連結されて水平方向に開閉自在に構成された左右一対のスリーブを備えた保持具が提案されている。該保持具では、各スリーブの底面壁に半円状の孔がそれぞれ形成されており、ボトルを保持する際に両スリーブを閉じて接合すると、対向する半円状の孔同士が一体化して一つの円形の孔となり、その孔の周縁部上面でボトルの鍔部を係止する。かかる構成では、左右のスリーブでボトルを挟み込むようにして保持するので、孔を小さく設定していても保持具をボトルに容易に装着することができる。しかしながら、ボトルを吊り下げた状態においては、ボトルの重量が各スリーブの底面壁に作用するため、各底面壁が下方に撓もうとすると共に両スリーブが互いに離れようとする。従って、両スリーブをしっかりと接合一体化させておく手段が必要になる。
【先行技術文献】
【特許文献】
【０００７】
【特許文献１】特開昭５５−９７３５７号公報
【特許文献２】実用新案登録第３１４４２４５号公報
【特許文献３】特開平１０−１３９０６４号公報
【特許文献４】実公昭６１−４０６７６号公報
【発明の概要】
【発明が解決しようとする課題】
【０００８】
それゆえに本発明は上記従来の問題点に鑑みてなされ、ボトル等の物品への装着が容易であって、物品の吊り下げ状態が確実に維持される物品吊り下げ保持具を提供することを課題とする。
【課題を解決するための手段】
【０００９】
本発明は、上記課題を解決すべくなされたものであって、本発明に係る物品吊り下げ保持具は、所定の剛性を有するシートからボトル等の物品を吊り下げ保持すべく立体的に組み立てられた物品吊り下げ保持具であって、展開状態のシートの所定方向両端部がそれぞれシートの下側から差込孔に差し込まれて上方に所定量突出することによりスリーブが前記所定方向に並んで一対形成され、前記差込孔から上方に突出した突出部分に持ち手が形成され、前記一対のスリーブ同士の対向部分にそれぞれ係止孔が形成され、該両係止孔が合わさって一体となることで物品の頭部が下方から差込可能で且つ該頭部の被係止部を係止可能な保持孔が形成されていることを特徴とする。尚、展開状態のシートは、一枚のシートから構成されてもよいし、二枚以上のシートから構成されてもよい。
【００１０】
該構成の物品吊り下げ保持具にあっては、シートの所定方向両端部がそれぞれシートの下側から差込孔に差し込まれて上方に突出することで一対のスリーブが形成される。そして、両スリーブの対向部分に形成された係止孔から一つの保持孔が形成され、その保持孔に物品の頭部を差し込むことでその頭部の被係止部が係止される。また、差込孔から上方に突出したシートの突出部分に持ち手が形成されているので、その持ち手を持つことで物品を吊り下げることができる。このような吊り下げ状態において物品の重力は両スリーブに作用することになるが、その反作用として持ち手を通じて両スリーブには差込孔に向かって上方に引き上げられる方向の力が作用することになる。つまり、物品を吊り下げ保持すると、持ち手を介して両スリーブには互いに接近する方向に力が作用することになり、各スリーブの係止孔が物品に向かって接近する。一方、物品を吊り下げていないフリーの状態では両スリーブには上述したような互いに接近する方向の力が作用していないため、保持孔に物品の頭部を容易に差し込むことができる。
【００１１】
特に、前記差込孔が形成された上板部と、該上板部の両側縁でそれぞれ下方に折り曲げられた一対の側板部と、該各側板部に対してそれぞれ内側に折り曲げられた一対の下板部と、該各下板部に対してそれぞれ上側に折り曲げられて前記差込孔に差し込まれた一対の差込板部とを備え、上板部と側板部と下板部と差込板部から前記スリーブが構成されていることが好ましい。このように上板部から側板部、下板部、そして差込板部へと連設されることで、差込板部を上方に引き上げようとする力は下板部から側板部へと確実に伝達される。しかも、両スリーブに共通する上板部が存在することにより、その両側縁即ち上板部と側板部との間の折り曲げ部が回動支点となって両側板部が内側に接近するように回動することになり、物品の頭部を両スリーブで挟み込んで確実に保持することができる。
【００１２】
更に、側板部は上板部に対して略直角に折り曲げられ、下板部は側板部に対して内角が鋭角となるように折り曲げられていることが好ましい。このように構成すると、差込板部から下板部に伝達される上方への力によって側板部が効率的に内側に接近動作することになり、より一層確実に物品を吊り下げ保持することができる。また、両下板部は互いの離間距離が上側ほど小さくなるハの字状となるため、物品の頭部を保持孔に差し込む際に両下板部がガイドとして機能し、物品の頭部を容易に保持孔に差し込むことができる。
【００１３】
また、前記突出部分が所定の突出状態を維持するように所定部分をロックするロック手段を備えていることが好ましい。物品を吊り下げ保持した状態では物品の重力によって両スリーブには内側に接近する方向に力が作用しているので、原則的には物品の保持が解除されるということはないが、ロック手段が所定部分をロックしていると、仮に吊り下げ状態で物品が上下に振動したとしても、差込孔から上方に突出したシートが瞬間的に下方に戻ったりするということもなく、安定した物品保持状態が得られる。また、物品を吊り下げた状態から手を離して物品を載置したような場合や、吊り下げ保持する前に物品が載置されているような場合には、物品の重力の反作用が両スリーブには作用しなくなる。このような場合においても、所定部分をロック手段がロックしているので、両スリーブが所定の初期状態に維持され、物品の被係止部を係止した状態が維持される。従って、その状態から確実に吊り下げ保持することができる。
【００１４】
また、前記両係止孔の開口縁部にはそれぞれ係止用フラップが互いに対向して突設されていることが好ましく、安定した係止状態が得られやすい。
【００１５】
尚、両係止用フラップは、物品の頭部の差し込み動作によってスリーブの内側に折り曲げられてその外面が上方を向いた姿勢となり、その外面が物品の被係止部を係止するように構成されると更に好ましい。ここで、係止用フラップの外面とは、シートの切断面ではなくシートの表面を意味している。この場合、物品の頭部を保持孔に差し込むことで係止用フラップはスリーブの内側に向けて自動的に折れ曲がるので、物品の差し込み動作とは別に係止用フラップを予め折り曲げておく必要がない。また、このようにしてスリーブの内側に折り曲げられた係止用フラップはその外面が上方を向いた姿勢となり、その外面が物品の被係止部を係止する。従って、シートの切断面で物品の被係止部を係止する場合に比して、被係止部との接触面積が拡大し、安定した係止状態と保持力が得られ、しかも、その安定した係止状態と保持力が長期に亘って維持される。更には、折り曲げられた係止用フラップが、その折り曲げ部におけるシートの弾性復元力によって、折り曲げられていない元の状態に復帰しようとする。即ち、係止用フラップがそれ自体の弾性復元力によって自動的に物品側に回動しようとして物品を押圧するので、係止用フラップの外面と物品の被係止部との接触状態が確実に維持され、安定した係止状態と保持力が得られる。また、係止用フラップの外面が被係止部に当接するのでシートの切断面からのシート屑の発生も抑制される。但し、係止用フラップを設けずに、係止孔の開口縁部におけるシートの切断面で物品の被係止部を係止するようにしてもよい。
【発明の効果】
【００１６】
以上のように、本発明に係る物品吊り下げ保持具は、ボトル等の物品を吊り下げ保持したときにその物品の重力によって両スリーブに互いに接近する方向の力が自動的に作用する構成であるので、物品の吊り下げ状態が確実に維持されると共に、物品への装着も容易である。
【図面の簡単な説明】
【００１７】
【図１】本発明の一実施形態における物品吊り下げ保持具を示す斜視図。
【図２】同物品吊り下げ保持具の展開図。
【図３】同物品吊り下げ保持具の正面図。
【図４】同物品吊り下げ保持具の底面図。
【図５】同物品吊り下げ保持具の側面図。
【図６】図３のＰ−Ｐ断面図。
【図７】図３のＱ−Ｑ断面図であって、同物品吊り下げ保持具を物品の頭部に装着する直前の状態を示している。
【図８】同物品吊り下げ保持具の使用状態を示す正面図。
【図９】同物品吊り下げ保持具の使用状態を示す図７に対応した断面図。
【図１０】同物品吊り下げ保持具の動作原理を示す概略図であって、（ａ）は物品を吊り下げたときの動作原理を示し、（ｂ）は保持した物品を解放するときの動作原理を示す。
【図１１】本発明の他の実施形態における物品吊り下げ保持具の展開図。
【図１２】同物品吊り下げ保持具の図６に対応した断面図。
【図１３】同物品吊り下げ保持具の使用状態を示す図６に対応した断面図。
【図１４】本発明の他の実施形態における物品吊り下げ保持具の展開図。
【発明を実施するための形態】
【００１８】
以下、本発明の一実施形態に係る物品吊り下げ保持具１について図１〜図１０を参酌しつつ説明する。図１に示す物品吊り下げ保持具１は、ペットボトルに代表される各種のボトル２の頭部２ａを係止して吊り下げ保持する構成であって、図２に示すような展開状態のシートを立体的に組み立てることにより形成されている。具体的にはボトル２を二本吊り下げ保持できる構成となっている。また、ボトル２の頭部２ａにはキャップが螺着されていてボトル２の上端開口部が閉塞されており、該キャップの下側に被係止部である環状鍔部２ｂが形成されている。
【００１９】
シートの展開図を示す図２において、矢印Ｘの方向が各板部が折り曲げ線３を介して連設される連設方向（所定方向）であって、その連設方向は後述するようにスリーブ４が形成された際においてはそのスリーブ４の周方向となる。また、矢印Ｙの方向はＸ方向と直交する方向であって、スリーブ４の軸線方向となる。シートは、Ｘ方向に対称形状であって、且つ、Ｙ方向にも対称形状である。シートは、中央の上板部５と、該上板部５のＸ方向両側に位置する側板部６と、該側板部６のＸ方向外側にそれぞれ位置する下板部７と、該下板部７のＸ方向外側にそれぞれ位置すると共に展開状態のシートの全体からすればそのＸ方向両端部に位置することになる差込板部８とから構成されている。
【００２０】
中央の上板部５は、Ｙ方向に長い長方形であって、その中央部にはＹ方向に長い全体として長孔形状の差込孔１０が形成されている。該差込孔１０には後述する両差込板部８の差込主部２１が差し込まれる。従って、差込孔１０のＹ方向の長さは、差込主部２１のＹ方向の長さと略等しい。また、差込孔１０は、そのＹ方向両端にそれぞれ位置してシートの厚さ二枚分に相当する幅を有するスリット部１１と、該スリット部１１のＹ方向中央側に位置してボトル２の頭部２ａの最上部が挿通可能な挿通孔部１２とを備えている。本実施形態では二本のボトル２を吊り下げ保持する構成であるので、挿通孔部１２はＹ方向に間隔をあけて一対形成されている。また、差込孔１０のＹ方向略中央部には、後述するロック用フラップ２６の係合凸部２７が係合可能な係合凹部１３が、互いにＸ方向に対向するようにして一対形成されている。
【００２１】
両側板部６は互いに同一形状である。該側板部６は、上板部５と同様にＹ方向に長い長方形であって、そのＹ方向の長さは上板部５のそれと等しい。側板部６のＸ方向の長さは、上板部５のそれよりも短いが、上板部５のＸ方向の長さの１／２よりは長い。該側板部６には孔や切り込み等は形成されていない。
【００２２】
両下板部７は互いに同一形状である。該下板部７は、側板部６と同様にＹ方向に長い長方形であって、そのＹ方向の長さは側板部６のそれと等しい。下板部７のＸ方向の長さは、側板部６のそれよりも若干短いが、上板部５のＸ方向の長さの１／２よりは長い。
【００２３】
両差込板部８は互いに同一形状である。該差込板部８は、下板部７と同じＹ方向の長さを有して折り曲げ線３を介して下板部７と隣接しているＸ方向の長さの短い差込ベース部２０と、該差込ベース部２０のＸ方向外側に位置して差込ベース部２０よりもＹ方向の長さが一段短く、差込板部８の大部分を占める面積を有する差込主部２１とから構成されている。差込ベース部２０のＹ方向の両端部は、差込孔１０から上方に引き出されずに残存する部分であって、上板部５の下面に当接して差込板部８のそれ以上の上方への突出を阻止するストッパー部として機能する。
【００２４】
差込板部８と下板部７との間の折り曲げ線３を跨ぐようにして係止孔２２が形成されている。本実施形態では二本のボトル２を吊り下げ保持する構成であるので、係止孔２２が両折り曲げ線３上にそれぞれＹ方向に間隔をあけて一対ずつ合計４個形成されている。該係止孔２２は、図９にも示しているようにボトル２の頭部２ａの被係止部である環状鍔部２ｂをその開口縁部で係止するためのものである。詳細には、係止孔２２の開口縁部のうち下板部７側に位置する部分により、ボトル２の環状鍔部２ｂを下側から支えるように係止する。本実施形態では、係止孔２２の開口縁部のうち下板部７側に位置する部分に、差込板部８側に向けて係止用フラップ２３が突設されている。該係止用フラップ２３の基端部には折り曲げ線３が形成されていてその位置で係止用フラップ２３は折り曲げ可能に構成されており、後述のように係止用フラップ２３は折り曲げ状態でボトル２の環状鍔部２ｂを係止する。
【００２５】
また、差込板部８の差込主部２１の中央部には、Ｙ方向に長い長孔形状の指挿入孔２４が形成されている。このように差込板部８に指挿入孔２４が形成されることにより、該指挿入孔２４のＸ方向外側には持ち手２５が形成される。更に、指挿入孔２４の開口縁部のうち下板部７側の部分には、折り曲げ線３を介して折り曲げ可能なロック用フラップ２６が突設されている。該ロック用フラップ２６の先端には上述した差込孔１０の係合凹部１３に係合する係合凸部２７が形成されている。
【００２６】
かかるシートとしては、所定の剛性を有するものであればその材質は特には限定されず、例えば、厚紙や、合成樹脂製シート、及び合成樹脂フィルムを積層した積層シートなどが挙げられるが、特に、厚さが１〜３ｍｍ程度のボール紙が軽量で強度もあるうえに低コストで加工も容易であり、また廃棄処分も容易であることから好ましい。ボール紙の秤量はボトル２等の物品の重量や本数によって変わるが、例えば２００〜６００ｇ／ｍ２程度が好ましい。また、折り曲げ線３には種々の公知の折り曲げ罫線を用いることができる。
【００２７】
このような一枚の展開状態のシートを折り曲げ線３で折り曲げながら組み立てていく。その組み立て手順を説明すると、図２で示しているシートの面をシートの上面とした場合、側板部６を上板部５に対して下方に山折りに折り曲げると共に下板部７を側板部６に対して山折りに折り曲げ、更に、差込板部８を下板部７に対して山折りに折り曲げて、その差込板部８の差込主部２１をシートの下面側から差込孔１０に差し込んで上方に引き上げる等して所定量突出させる。そして、両差込主部２１を上方に所定量突出させた後、各差込主部２１のロック用フラップ２６をそれぞれ上板部５に向けて外向き且つ下方に折り返し、その先端の係合凸部２７を上板部５の係合凹部１３に係入させる。以上の組み立て作業により本実施形態の物品吊り下げ保持具１が完成する。このように展開状態のシートが折り曲げ線３によって複数の板部に区画されているので折り曲げ線３で折り曲げながら所定形状に容易に組み立てることができる。そして各板部がパネルとして機能することにより、物品吊り下げ保持具１の形状が安定し、その強度も十分に確保され、また、組み立てバラツキも小さい。
【００２８】
組み立てられた物品吊り下げ保持具１は、図１及び図５のように上板部５が共通の天面を構成し、その上板部５の下側には同一且つ対称形状の二つのスリーブ４が並設される。該スリーブ４はシートのＹ方向を軸線方向としシートのＸ方向を周方向とするものであって、シートのＸ方向に沿って並設される。即ち、スリーブ４は、上板部５と側板部６と下板部７と差込板部８の主として差込ベース２０から構成されて、シートの下面がスリーブ４の内周面を構成し、シートの上面がスリーブ４の外周面を構成する。
【００２９】
詳細には、上板部５の両側縁５ａにおいて両側板部６がそれぞれ下方に略直角に折れ曲がって垂下している。即ち、図５のように上板部５と側板部６との間の内角αは略９０度である。そして、側板部６の下端縁６ａで下板部７が上方に折り返されていて、側板部６と下板部７との間の内角βは９０度未満の鋭角となっている。この側板部６と下板部７との間の内角βは、２０〜７０度が好ましく、３０〜６０度がより好ましい。また、両下板部７が何れも側板部６から差込板部８に向かって斜め上方に傾斜した状態にあり、従って、両下板部７は上方に向かって互いに接近し、両下板部７間の離間距離は上方ほど小さくなっている。
【００３０】
そして、下板部７の上端縁７ａで差込板部８が折り曲げられて差込孔１０に下方から差し込まれているが、下板部７と差込板部８との間の内角γは９０度以上の鈍角である。差込板部８が上板部５に対して略垂直に上方に延びており、差込板部８と側板部６とは互いに平行である。従って、側板部６と下板部７との間の内角βと下板部７と差込板部８との間の内角γは、β＋γ＝１８０度となる関係にあり、下板部７と差込板部８との間の内角γは、１１０〜１６０度が好ましく、１２０〜１５０度がより好ましい。尚、差込板部８の差込ベース部２０の上下方向の長さ（Ｘ方向の長さ）は側板部６の上下方向の長さよりも短い。また、差込板部８の差込ベース部２０の上下方向の長さと下板部７の上下方向の長さ（Ｘ方向の長さ）を合算した長さは、上板部５における両側縁５ａ間の長さ（Ｘ方向の長さ）の１／２と側板部６の上下方向の長さとを合算した長さよりも短い。
【００３１】
また、一対のスリーブ４が互いに隣接されて両差込ベース部２０が重なり合った状態となることで、図４のように両係止孔２２も接合一体化されて一つの保持孔が形成されることになる。図３にも示されているように係止用フラップ２３は傾斜しつつ上方に突出した状態にあり、両係止孔２２の係止用フラップ２３同士は互いに対峙した状態となる。係止孔２２のうち下板部７側の下部領域は略半円状（半割状）であり、下板部７同士が互いにハの字状に離間しているので、係止孔２２の下部領域同士も互いにハの字状となりつつ接合一体化して下方に開口した一つの円形状となる。一方、差込板部８同士は水平方向に互いに重なり合っているので、係止孔２２のうち差込板部８側の上部領域同士は水平方向に離間することなく接合一体化される。図１及び図３のように、係止孔２２の上部領域は上板部５よりも所定量上方に延びて形成されており、また、上板部５の差込孔１０部における挿通孔部１２も両係止孔２２の上部領域と一体化して一つの保持孔を構成する。従って、保持孔に下方から差し込まれたボトル２の頭部２ａは上板部５を越えて所定量上方に突出することができる。
【００３２】
両差込板部８の差込主部２１が何れも一つの差込孔１０に挿入されることで、両差込主部２１同士はシートの上面同士が向かい合った状態で重なり合って上方に延びている。そして、ロック用フラップ２６の係合凸部２７を上板部５の係合凹部１３に係入させると、ロック用フラップ２６は図１及び図５、図６のように斜め下方に傾斜した状態となり、図３及び図５のように係合凸部２７の両側に位置するロック用フラップ２６の先端縁部２８が上板部５の上面に当接する。このようにロック用フラップ２６の先端縁部２８が上板部５の上面に当接することでロック用フラップ２６が突っ張りとして機能し、これによって差込板部８の下降動作が制限され、差込板部８は所定の突出状態に維持される。このように本実施形態においては、ロック用フラップ２６と上板部５の係合凹部１３がロック手段を構成している。尚、図３のように、差込ベース部２０が上板部５の下面に当接することで差込板部８はそれ以上の上方への移動が阻止される。
【００３３】
以上のように構成された物品吊り下げ保持具１をボトル２に装着する場合、図７のようにボトル２の頭部２ａに対して物品吊り下げ保持具１を上方から押し付ける、あるいは、物品吊り下げ保持具１に対してボトル２の頭部２ａを下方から押し付けるようにする。何れにしても、ボトル２の頭部２ａが両下板部７に下方から当接してそれを上方に押圧する。両下板部７はハの字状に傾斜しているので、ボトル２の頭部２ａに押圧されることで互いに離間するように両側に押し広げられることになる。それと共にボトル２の頭部２ａが両係止用フラップ２３を上方に押し上げてスリーブ４の内側に向けて折り曲げていく。その後、折り曲げられた状態の両係止用フラップ２３の基端部をボトル２の環状鍔部２ｂが上方に通過することで装着作業が完了する。
【００３４】
このようにして二本のボトル２をそれぞれ装着させた状態を図８及び図９に示している。図９のようにスリーブ４の内側に折り曲げられた両係止用フラップ２３は、その外面が上方を向いた姿勢となってその外面でボトル２の環状鍔部２ｂを下側から支えるようにして係止し、これによってボトル２が両側から挟み込まれるように吊り下げ保持される。特に、両係止用フラップ２３はそのシートの切断面ではなくシートの表面でボトル２の環状鍔部２ｂを係止する。
【００３５】
この状態で持ち手２５を持って物品吊り下げ保持具１を持ち上げると、ボトル２の重力は両係止用フラップ２３を介して下板部７に作用する。その反作用によって下板部７には差込板部８を介してそれを上方に持ち上げようとする力が生じる。この力が下板部７から側板部６へと伝達されることで、側板部６は上板部５の両側縁５ａを支点として内側に回動しようとする。
【００３６】
この動作原理を図１０（ａ）に模式図として示している。同図に実線で示しているのは物品吊り下げ保持具１を持ち上げていない通常の装着状態で、二点鎖線で示しているのは物品吊り下げ保持具１を持ち上げたときの状態である。物品吊り下げ保持具１を持ち上げると差込板部８が相対的に上方に引き上げられることになることから、二点鎖線で示すように側板部６と下板部７は上板部５の両側縁５ａを支点として内側に回動しようとする。このように両下板部７が内側に接近しようとするのでボトル２の保持が更に確実なものとなり、しっかりとボトル２を吊り下げ保持することができる。
【００３７】
特に、側板部６が上板部５に対して略直角に折り曲げられていると共に下板部７が側板部６に対して鋭角の内角βとなるように折り曲げられているので、側板部６と下板部７が内側に向けて効率良く動くことになり、両係止用フラップ２３でボトル２を両側から挟み込むようにしっかりと保持することができる。尚、実際には、差込ベース部２０が上板部５の下面に当接することによって差込板部８の上昇が制限されるので、同図の二点鎖線のように側板部６と下板部７が大きく動くということはなく、差込ベース部２０が当接している上板部５の中央部５ｂも回動支点となって上板部５も若干下側に湾曲しつつスリーブ４全体が内側に向かって変形しつつ移動しようとする。尚、上板部５の中央部５ｂは図１及び図２において二点鎖線で示している箇所である。この上板部５の中央部５ｂに予め折り曲げ線を設けていてもよい。何れにしても、ボトル２の頭部２ａに装着された物品吊り下げ保持具１を持ち上げることによってボトル２の保持が自動的に強化されることになるので、確実にボトル２を吊り下げ保持することができるのである。また、ボトル２の重力が環状鍔部２ｂから係止用フラップ２３に作用することで係止用フラップ２３が更に折り曲がることにもなり、係止用フラップ２３による環状鍔部２ｂの係止状態もより一層安定する。
【００３８】
尚、差込板部８が上板部５に対して仮に下方に移動したとすると保持力が弱まることになるが、ロック用フラップ２６が差込板部８を所定の突出状態にロックしているので、吊り下げ運搬中に物品吊り下げ保持具１がボトル２と共に上下に振動したとしても安定した保持力が維持される。また、ボトル２を載置した状態から持ち上げる際にも、係止用フラップ２３の係止状態が不用意に外れるということもなく、確実に持ち上げることができる。
【００３９】
このように本実施形態の物品吊り下げ保持具１にあっては、下板部７をボトル２の頭部２ａに押し付けるという一つの動作で済むことからボトル２への装着動作が容易であり、しかも、ボトル２を持ち上げることによって生じるボトル２の重力を利用して自動的にボトル２の保持が強化されるので、安定した吊り下げ状態も得られる。そして更には、物品吊り下げ保持具１をボトル２から取り外す動作も極めて容易であって、両スリーブ４を互いに離間させるように両側に引っ張ったり押し広げたりするのみでよく、両スリーブ４を外側に離間させることで容易に係止用フラップ２３による係止状態を解除することができる。詳細には、図１０（ｂ）に取り外す際の動作原理を模式図として示しているが、両スリーブ４を外側に向けて例えば引っ張ると、二点鎖線のように両スリーブ４が上板部５の中央部５ｂを支点として上側に回動して両下板部７が互いに離間していく。これによって両係止用フラップ２３もボトル２の環状鍔部２ｂから外側に離れていき、係止状態が解除されるのである。尚、両スリーブ４を上側に回動させることで上板部５は中央部５ｂにおいて若干谷折りに折れ曲がることになる。
【００４０】
尚、本実施形態では、ロック用フラップ２６と上板部５の係合凹部１３とからロック手段を構成したが、ロック手段はこれ以外にも種々の態様が可能である。例えば、図１１及び図１２に示すように、差込孔１０の開口縁部にロック用フラップ２６を設け、差込板部８にロック用フラップ２６が挿入されるロック孔３０を形成してもよい。この場合には、ロック用フラップ２６とロック孔３０からロック手段が構成される。尚、この実施形態では更に差込板部８の持ち手２５にスリット孔３１を形成すると共に差込主部２１に水平方向に二本の折り曲げ線３を更に形成し、上板部５の両側縁５ａにはそれぞれ外方に突出する係止突片３２を形成している。例えば持ち運ばない状態において、図１３のように差込主部２１の上部を外側に折り曲げてそのスリット孔３１に係止突片３２を差し込むことで差込主部２１を折り曲げたコンパクトな状態に保持しておくことができる。
【００４１】
また、図１４のようにロック用フラップ２６を上板部５にサイドフラップとして形成してもよい。該ロック用フラップ２６の先端部にはスリット状の切欠部４０が形成され、差込主部２１の縁部にも切欠部４１が形成されている。そして、差込孔１０から上方に引き上げられた二枚の差込板部８をロック用フラップ２６で挟み込むように、ロック用フラップ２６を上側に折り曲げてロック用フラップ２６の切欠部４０に二枚の差込板部８を差し込むと共に差込板部８の切欠部４１にロック用フラップ２６を係合させる。この場合にはロック用フラップ２６と差込板部８の切欠部４１からロック手段が構成される。但し、サイドフラップの構成にすると展開状態のシートを打ち抜き等により形成する際にシートの無駄が多くなるため、図２や図１１のように孔の開口縁部にロック用フラップ２６を形成することが好ましい。また、ロック用フラップ２６が差込板部８以外の部分をロックする構成としてもよく、何れにしても、差込孔１０から上方に突出した突出部分である差込主部２１が所定の突出長さを維持するようにロック手段がシートの所定部分をロックするようにすればよい。更に、ロック用フラップ２６を別部材として構成してもよく、即ち、ロック手段が展開状態のシートとは別体構成であってもよい。
【００４２】
尚、上記実施形態では係止孔２２の開口縁部に係止用フラップ２３を設けていたが、係止用フラップ２３の形状は任意であり、また、係止用フラップ２３を省略してもよい。但し、シートの表面でボトル２の環状鍔部２ｂを係止する係止用フラップ２３を設けることにより、確実な係止状態が長期に亘って維持されると共にシート屑の発生も抑制されるため好ましい。また、係止用フラップ２３を上述したように環状鍔部２ｂよりも長く形成するとその外面がボトル２の環状鍔部２ｂを確実に係止することになるため好ましいが、係止用フラップ２３を環状鍔部２ｂよりも短く形成してもよい。係止用フラップ２３が環状鍔部２ｂより短い場合には、係止用フラップ２３の先端がボトル２の環状鍔部２ｂから外側にはみ出さない状態となる。何れにしても、係止用フラップ２３の有無に関わらず、両係止孔２２の開口縁部がそれぞれボトル２の頭部２ａの環状鍔部２ｂを両側から挟み込むように係止することが好ましい。
【００４３】
また、上板部５にボトル２の頭部２ａが挿入可能な挿通孔部１２を形成したが、該挿通孔部１２を省略してもよい。即ち、ボトル２の頭部２ａが上板部５を貫通しない構成としてもよい。
【００４４】
更に、ボトル２を二本吊り下げ可能な構成としたが、吊り下げるボトル２の本数は三本以上であってもよく、一本のみであってもよい。
【００４５】
また、物品としてボトル２を吊り下げる場合について説明したが、物品はボトル２には限られず、スパウト付きパウチであってもよく、その場合にはスパウトの鍔部を被係止部として係止して吊り下げ保持するようにする。このように物品は種々の容器であってよく、また容器以外の物品であってもよい。
【００４６】
更に、展開状態のシートをＸ方向に左右対称形状としたが、左右非対称形状であってもよく、例えば、差込板部８が左右で異なる長さ、形状であってもよい。また、Ｙ方向にも非対称形状であってもよい。
【００４７】
また、重ね合わせされた両差込板部８から持ち手２５が形成される構成としたが、一方の差込板部８から持ち手２５が形成される構成としてもよく、両差込板部８を部分的に折り曲げるなどして立体的に組み立てて持ち手２５を形成するようにしてもよい。
【００４８】
また更に、上板部５に対して側板部６を略直角に折り曲げていたが両者の間の内角αを鈍角としたり鋭角としたりしてもよい。同様に、側板部６と下板部７との間の内角βを略直角としたり鈍角としたりしてもよく、下板部７と差込板部８との間の内角γを略直角としたり鋭角としたりしてもよい。
【００４９】
更に、展開状態のシートを折り曲げ線３によって複数の板部に区画して角筒状のスリーブ４を形成するようにしたが、折り曲げ線３を一部あるいは全部省略してもよく、円形や楕円形等の筒状のスリーブ４としてもよい。また、ロック手段を省略することも可能である。
【符号の説明】
【００５０】
１    物品吊り下げ保持具
２    ボトル
２ａ  頭部
２ｂ  環状鍔部（被係止部）
３    折り曲げ線
４    スリーブ
５    上板部
５ａ  側縁
５ｂ  中央部
６    側板部
６ａ  下端縁
７    下板部
７ａ  上端縁
８    差込板部
１０    差込孔
１１    スリット部
１２    挿通孔部
１３    係合凹部（ロック手段）
２０    差込ベース部
２１    差込主部
２２    係止孔
２３    係止用フラップ
２４    指挿入孔
２５    持ち手
２６    ロック用フラップ（ロック手段）
２７    係合凸部
２８    先端縁部
３０    ロック孔（ロック手段）
３１    スリット孔
３２    係止突片
４０    切欠部
４１    切欠部（ロック手段）
α    内角
β    内角
γ    内角
【図１】
2014043271.tif 000003
【図２】
2014043271.tif 000004
【図３】
2014043271.tif 000005
【図４】
2014043271.tif 000006
【図５】
2014043271.tif 000007
【図６】
2014043271.tif 000008
【図７】
2014043271.tif 000009
【図８】
2014043271.tif 000010
【図９】
2014043271.tif 000011
【図１０】
2014043271.tif 000012
【図１１】
2014043271.tif 000013
【図１２】
2014043271.tif 000014
【図１３】
2014043271.tif 000015
【図１４】
2014043271.tif 000016